(57)【要約】【課題】筐体が薄く、かつ高い剛性を有する携帯型情報処理装置を提供する。【解決手段】下部筐体にキーボードを有し、上部筐体に表示部を有する折り畳み型の携帯型情報処理装置であって、下部筐体内に固定され、複数の矩形状の二次電池を配列したバッテリーパックは、二次電池のうち下部筐体の底面のゴム脚に位置する二次電池と他の二次電池との間にゴム脚の高さ分の段差を有する。【選択図】図３
2014013463.tif 000002
【特許請求の範囲】
【請求項１】
下部筐体にキーボードを有し、上部筐体に表示部を有する折り畳み型の携帯型情報処理装置であって、
前記下部筐体内に固定され、複数の矩形状の二次電池を配列したバッテリーパックは、前記二次電池のうち前記下部筐体の底面のゴム脚に位置する二次電池と他の二次電池との間に前記ゴム脚の高さ分の段差を有することを特徴とする携帯型情報処理装置。
【請求項２】
前記バッテリーパックは、前記下部筐体内に前記下部筐体の底板及び天板に部分的に面接触するように配置されたことを特徴とする請求項１記載の携帯型情報処理装置。
【請求項３】
前記下部筐体には、前記キーボードの下側にマザーボードが配置され、前記マザーボードと前記下部筐体の前面側の側壁との間には、前記バッテリーパックが配置されていることを特徴とする請求項１または２記載の携帯型情報処理装置。
【請求項４】
前記バッテリーパックは、前記二次電池の数が６セルの場合、中央に２行２列配置し、下段の二次電池列の両側に１セルずつ配置し、凸字平面形状のケースに収納されていることを特徴とする請求項１から３の何れか一項記載の携帯型情報処理装置。
【発明の詳細な説明】
【技術分野】
【０００１】
本発明は、情報処理装置に関し、特に携帯型情報処理装置に関する。
【背景技術】
【０００２】
折り畳み型の情報処理装置としては、下部筐体にキーボードを有し、上部筐体に表示部を有し、両者を蝶番で連結したノートブック型パーソナルコンピュータ（以下、ノートパソコンと表記）が一般的である（例えば、特許文献１参照。）。
【０００３】
特許文献１に記載の発明は、「電子機器」に関するものであり、具体的には、「スライドレバーを、スイッチのスイッチレバーの付勢力により突出位置へ付勢する構成としたことにより、スイッチとは別にスライドレバーを突出位置へ付勢する付勢手段を備える必要がないため、スイッチとは別に付勢手段を備える構成に比べて部品点数を削減することができる。部品点数を削減することにより、コストダウンを図ることができるとともに、ノートパソコンの組立時における組立工数を削減することができ、組立作業性を向上することができる」ものである。
【先行技術文献】
【特許文献】
【０００４】
【特許文献１】特開２０１１−１８０７２０号公報
【発明の概要】
【発明が解決しようとする課題】
【０００５】
ところで、例えば１３型のノートパソコンを製造する場合、軽量化を目指したところ、結果として薄い（例えば、十数ｍｍ以下）構造をとらざるを得なかった。
しかしながら、薄い構造のノートパソコンを製造する際に、筐体の肉厚を薄くすると、高い剛性（実用的な強度を得られる程度の剛性）を得ることができないという問題点がある。
【０００６】
そこで、本発明の目的は、筐体が薄く、かつ高い剛性を有する携帯型情報処理装置を提供することにある。
【課題を解決するための手段】
【０００７】
上記課題を解決するため、請求項１に記載の発明は、下部筐体にキーボードを有し、上部筐体に表示部を有する折り畳み型の携帯型情報処理装置であって、前記下部筐体内に固定され、複数の矩形状の二次電池を配列したバッテリーパックは、前記二次電池のうち前記下部筐体の底面のゴム脚に位置する二次電池と他の二次電池との間に前記ゴム脚の高さ分の段差を有することを特徴とする。
【発明の効果】
【０００８】
本発明によれば、筐体が薄く、かつ高い剛性を有する携帯型情報処理装置の提供を実現することができる。
【図面の簡単な説明】
【０００９】
【図１】（ａ）は、携帯型情報処理装置としてのノートパソコンの下部筐体の上面図であり、（ｂ）は、（ａ）に示した下部筐体を有するノートパソコンを前面から見た外観図である。
【図２】図１（ａ）に示した下部筐体を裏（底板）側から見たときの位置関係を示す底面図である。
【図３】（ａ）は、下部筐体１１におけるバッテリーパック３１の表（天板）側から見たときの位置関係を説明するための概念図であり、（ｂ）は、（ａ）に示した下部筐体１１のIIIｂ−IIIｂ線断面図であり、（ｃ）は、（ａ）に示したバッテリーパックのIIIｃ−IIIｃ線断面図である。
【発明を実施するための形態】
【００１０】
［構  成］
図１（ａ）は、携帯型情報処理装置１０としてのノートパソコンの下部筐体の上面図であり、図１（ｂ）は、図１（ａ）に示した下部筐体を有するノートパソコンを前面から見た外観図である。尚、説明上図１（ａ）において上部筐体は省略されている。
また、図１（ｂ）において上部筐体及び下部筐体は閉じた状態を示している。
【００１１】
図１（ａ）に示す板金（例えば、ＬＡ１４１：マグネシウム・リチウム合金）からなる下部筐体１１の上面の中央から背面にわたるほぼ半分の横長の領域にキーボード１２が配置されている。下部筐体１１の上面の中央から前面にわたる残りの半分の横長の領域の中央にタッチパッド１３が配置されている。下部筐体１１のキーボード１２の背面側近傍には電源スイッチ１６が配置されている。
下部筐体１１の一方（例えば、右側）の側面には、例えば、電源（ＤＣ：Ｄｉｒｅｃｔ  Ｃｕｒｒｅｎｔ）入力コネクタ、ＵＳＢ（Ｕｎｉｖｅｒｓａｌ  Ｓｅｒｉａｌ  Ｂｕｓ）ポートが配置されている。
下部筐体１１の他方（この場合、左側）の側面には、例えば、ＳＤ（Ｓｅｃｕｒｅ  Ｄｉｇｉｔａｌ）メモリーカード用のコネクタ、及び排気口が配置されている。下部筐体１１の前面には一対のスピーカ２５Ｌ、２５Ｒが配置されている。
これらの各部品の配置は限定されるものではない。
上部筐体１４は、表示部を有し下部筐体１１の背面側に設けられた蝶番により下部筐体１１と開閉自在に連結されている。
【００１２】
図２は、図１（ａ）に示した下部筐体を裏（底板）側から見たときの位置関係を示す底面図である。
図２に示す下部筐体１１の右上には冷却ファン２２が配置され、冷却ファン２２の左側の領域には、図示しないマザーボードが配置される。下部筐体１１の左側中央にはＳＳＤ（Ｓｏｌｉｄ  Ｓｔａｔｅ  Ｄｒｉｖｅ）２１が配置されている。ＳＳＤ２１はＨＤＤ（Ｈａｒｄ  Ｄｉｓｋ  Ｄｒｉｖｅ）と同様に大容量（例えば、数〜数十ＧＢ）の記憶容量を有する記憶媒体であり、ＨＤＤより小型、軽量であって、耐久性に優れている。下部筐体１１の前面側のほぼ矩形状の領域２４は、後述するバッテリーパック３１の底面と面接触するための領域である。
【００１３】
図３（ａ）は、下部筐体１１におけるバッテリーパック３１の表（天板）側から見たときの位置関係を説明するための概念図であり、図３（ｂ）は、図３（ａ）に示した下部筐体１１のIIIｂ−IIIｂ線断面図であり、図３（ｃ）は、図３（ａ）に示したバッテリーパックのIIIｃ−IIIｃ線断面図である。尚、説明の都合上、バッテリーパックは厚く、大きめに記載されている。
【００１４】
バッテリーパック３１は、６セルの場合で説明する。バッテリーパック３１のケース中には、矩形状（例えばタイル状、もしくはシート状）の二次電池３２ｃ、３２ｂ、３２ｄ、３２ｅが中央に２行２列配置され、下段の二次電池列の両側に二次電池３２ａ、３２ｆが１セルずつ配置され、凸字平面形状に収納されている。これは、下部筐体１１の厚みを薄くするためである。
【００１５】
ここで、バッテリーパック３１のケースは、図３（ｃ）に示すようにガルウィング状に形成されている。すなわち、中央の二次電池３２ｂ〜３２ｅに対し、両側の二次電池３２ａ、３２ｆが高くなるように（段差ｈを有するように）ケース内に配置されている。この段差ｈは、下部筐体１１の底面の四隅に配置されるゴム脚１５の収容部（下から見ると凹部、内部から見ると凸部となる。）の高さ分に合わせて設定されている。
【００１６】
ゴム脚１５は、下部筐体１１の四隅（限定されない）に外側から粘着剤を使って貼り付けられている。
【００１７】
バッテリーパック３１は、そのケースの二次電池３２ｂ〜３２ｅに対応する下面が下部筐体１１の底面１１ｂと面接触し、そのケースの二次電池３２ａ、３２ｆに対応する下面がゴム脚１５の収容部と接触し、そのケースの二次電池３２ａ、３２ｆに対応する上面が下部筐体１１の天板１１aに部分的に面接触するようになっている。尚、バッテリーパック３１の背面側は図示しないマザーボード、ＳＳＤや各部品と接触するようになっている。バッテリーパック３１は図示しないリード線及びコネクタでマザーボードと接続され、電源を供給できるようになっている。
【００１８】
ここで、下部筐体１１には、キーボード１２の下側に図示しないマザーボードが配置され、マザーボードと下部筐体１１の前面側の側壁との間には、バッテリーパック３１が配置されているが、これは、ＣＰＵや冷却ファン等の発熱部品を操作者側から遠ざけることにより不快感を回避するためである。
【００１９】
二次電池３２ａ〜３２ｆは、リチウムイオンポリマー電池であるのが好ましい。円柱状の二次電池を用いる場合と比べて携帯型情報処理装置を薄く、軽く構成することができるためである。
【００２０】
［作用効果］
下部筐体１１の所定の領域内にバッテリーパック３１を配置することにより、バッテリーパック３１の下面及び上面が下部筐体１１の底板１１ｂ及び天板１１aに部分的に面接触するので、下部筐体１１の肉厚を薄くしても高い剛性を得ることができる。
【００２１】
尚、上述した実施の形態は、本発明の好適な実施の形態の一例を示すものであり、本発明はそれに限定されることなく、その要旨を逸脱しない範囲内において、種々変形実施が可能である。
【００２２】
例えば、上述した実施の形態では、バッテリーパックが６セルの場合で説明したが、本発明はこれに限定されるものではなく、４セルであっても、９セルであっても、それ以外のセル数であっても適用可能である。
【符号の説明】
【００２３】
１０    携帯型情報処理装置
１１    下部筐体
１１ａ    天板
１１ｂ    底板
１２    キーボード
１３    タッチパッド
１４    上部筐体
１５    ゴム脚
１６    電源スイッチ
２１    ＳＳＤ
２２    冷却ファン
２４    領域
２５Ｒ、２５Ｌ    スピーカ
３１    バッテリーパック
３２ａ〜３２ｆ    二次電池
ｈ    段差
【図１】
2014013463.tif 000003
【図２】
2014013463.tif 000004
【図３】
2014013463.tif 000005